(57)【要約】【課題】基板固定用のネシを不要にしてコストダウンおよび作業工数の低減を可能にすること。【解決手段】制御基板および複数の操作スイッチ２が配置される基板３の一部に当接し、前記基板３をスプリングカバー４側へ付勢するバネ手段５が配設され、前記バネ手段５によって前記スプリングカバー４側へ付勢された前記基板３の一端を係止する複数の係止手段６が、前記基板３の下部に位置するプレート７に一体的に形成されている温水洗浄便座。【選択図】        図１
2004232246.tif 000002
【特許請求の範囲】
【請求項１】
温水洗浄便座において、
制御基板が配置される基板の一部に当接し、前記基板をスプリングカバー側へ付勢するバネ手段が配設され、
前記バネ手段によって前記スプリングカバー側へ付勢された前記基板の一端を係止する複数の係止手段を備えている
ことを特徴とする温水洗浄便座。
【請求項２】
請求項１において、
前記係止手段が、前記基板の前記バネ手段の付勢力に抗して前記スプリングカバーから遠ざかる方向の動きは許容し、前記基板の前記バネ手段の付勢力による前記スプリングカバーに近づく方向の動きは阻止するように構成されている
ことを特徴とする温水洗浄便座。
【請求項３】
請求項２において、
前記係止手段が、前記基板の前記バネ手段の付勢力に抗して前記スプリングカバーから遠ざかる方向の動きに応じて前記基板の一端との当接により弾性的に変形し、前記基板の前記バネ手段の付勢力による前記スプリングカバーに近づく方向の動きに応じて前記基板の一端との当接により変形しないように構成されている
ことを特徴とする温水洗浄便座。
【請求項４】
請求項３において、
前記係止手段が、フックである
ことを特徴とする温水洗浄便座。
【請求項５】
請求項４において、
前記フックが、前記基板の下方に配置されたプレートに一体成形されている
ことを特徴とする温水洗浄便座。
【請求項６】
請求項５において、
前記フックが、
前記基板の前記バネ手段の付勢力に抗して前記スプリングカバーから遠ざかる方向の動きに応じて前記基板の一端との当接により変形を誘因する傾斜係合部と、
前記基板の前記バネ手段の付勢力による前記スプリングカバーに近づく方向の動きに応じて前記基板の一端との当接により変形しない水平係合部と、
前記プレートの上面に突設され前記傾斜係合部および前記水平係合部に上端が連絡する弾性的変形を可能にする比較的小さな断面積の突設部と
から成ることを特徴とする温水洗浄便座。
【請求項７】
請求項６において、
前記傾斜係合部が、前記突設部の上端から横方向に突設された突起部の上面に形成され、
前記水平係合部が、前記突起部の下面に形成されている
ことを特徴とする温水洗浄便座。
【請求項８】
請求項５において、
前記バネ手段が、前記基板と前記プレートとの間に介挿されているスプリングである
ことを特徴とする温水洗浄便座。
【発明の詳細な説明】
【０００１】
【発明の属する技術分野】
本発明は、制御基板が配置される基板がバネ手段によって付勢された状態に装着されている温水洗浄便座に関する。
【０００２】
【従来の技術】
従来の第１の温水洗浄便座においては、図９および図１０に示されるように制御基板と操作スイッチＳＷを一体的に配置した基板アッシイＢ（以下単に基板と言う）を、操作フィーリングを損なわない様に本体に搭載するために、前記基板Ｂ全体をスプリングカバーＣ側へ押し上げていた。
【０００３】
すなわち上述の様に前記基板Ｂ全体をスプリングカバーＣ側へ押し上げる様つねに付勢力を発生させるために、プレートＰに突設された突起Ｔに装着されたバネＳを圧縮した形で搭載させる必要がある。
【０００４】
圧縮する手段としては、スプリングカバーＣを被せる前まで前記バネＳは図９に示されるように自由状態であり、図１０に示されるようにそれを押し込んで圧縮する方法があるが、ストロークが長い為ぐらついて基板Ｂが外れたり、作業性が悪いという問題があった。
【０００５】
かかる問題の改善策として、従来の第２の温水洗浄便座においては、図１１および図１２に示されるように前記バネＳをある程度圧縮した状態においてネジ等Ｎで前記基板Ｂを固定することにより、ぐらつきを防止するとともに、作業性を向上させるものであった。
【０００６】
【発明が解決しようとする課題】
上記従来の第２の温水洗浄便座においては、前記ネジ等Ｎで前記基板Ｂを固定するものについては、前記ネジＮを使用するものであるため、その部品代と固定のために作業工数が増加するという問題があった。
【０００７】
そこで本発明者は、温水洗浄便座において、制御基板が配置される基板の一部に当接し、前記基板をスプリングカバー側へ付勢すべく配設されたバネ手段によって前記スプリングカバー側へ付勢された前記基板の一端を係止するという本発明の技術的思想に着眼し、更に研究開発を重ねた結果、従来におけるネシを不要にしてコストダウンおよび作業工数の低減を可能にするという目的を達成する本発明に到達した。
【０００８】
【課題を解決するための手段】
本発明（請求項１に記載の第１発明）の温水洗浄便座は、
温水洗浄便座において、
制御基板が配置される基板の一部に当接し、前記基板をスプリングカバー側へ付勢するバネ手段が配設され、
前記バネ手段によって前記スプリングカバー側へ付勢された前記基板の一端を係止する複数の係止手段を備えている
ものである。
【０００９】
本発明（請求項２に記載の第２発明）の温水洗浄便座は、
前記第１発明において、
前記係止手段が、前記基板の前記バネ手段の付勢力に抗して前記スプリングカバーから遠ざかる方向の動きは許容し、前記基板の前記バネ手段の付勢力による前記スプリングカバーに近づく方向の動きは阻止するように構成されている
ものである。
【００１０】
本発明（請求項３に記載の第３発明）の温水洗浄便座は、
前記第２発明において、
前記係止手段が、前記基板の前記バネ手段の付勢力に抗して前記スプリングカバーから遠ざかる方向の動きに応じて前記基板の一端との当接により弾性的に変形し、前記基板の前記バネ手段の付勢力による前記スプリングカバーに近づく方向の動きに応じて前記基板の一端との当接により変形しないように構成されている
ものである。
【００１１】
本発明（請求項４に記載の第４発明）の温水洗浄便座は、
前記第３発明において、
前記係止手段が、フックである
ものである。
【００１２】
本発明（請求項５に記載の第５発明）の温水洗浄便座は、
前記第４発明において、
前記フックが、前記基板の下方に配置されたプレートに一体成形されている
ものである。
【００１３】
本発明（請求項６に記載の第６発明）の温水洗浄便座は、
前記第５発明において、
前記フックが、
前記基板の前記バネ手段の付勢力に抗して前記スプリングカバーから遠ざかる方向の動きに応じて前記基板の一端との当接により変形を誘因する傾斜係合部と、
前記基板の前記バネ手段の付勢力による前記スプリングカバーに近づく方向の動きに応じて前記基板の一端との当接により変形しない水平係合部と、
前記プレートの上面に突設され前記傾斜係合部および前記水平係合部に上端が連絡する弾性的変形を可能にする比較的小さな断面積の突設部と
から成るものである。
【００１４】
本発明（請求項７に記載の第７発明）の温水洗浄便座は、
前記第６発明において、
前記傾斜係合部が、前記突設部の上端から横方向に突設された突起部の上面に形成され、
前記水平係合部が、前記突起部の下面に形成されている
ものである。
【００１５】
本発明（請求項８に記載の第８発明）の温水洗浄便座は、
前記第５発明において、
前記バネ手段が、前記基板と前記プレートとの間に介挿されているスプリングである
ものである。
【００１６】
【発明の作用および効果】
上記構成より成る第１発明の温水洗浄便座は、前記複数の係止手段が、制御基板が配置される基板の一部に当接し、前記基板をスプリングカバー側へ付勢すべく配設された前記バネ手段によって前記スプリングカバー側へ付勢された前記基板の一端を係止するので、従来におけるネシを不要にしてコストダウンおよび作業工数の低減を可能にするという効果を奏する。
【００１７】
上記構成より成る第２発明の温水洗浄便座は、前記第１発明において、前記係止手段が、前記基板の前記バネ手段の付勢力に抗して前記スプリングカバーから遠ざかる方向の動きは許容し、前記基板の前記バネ手段の付勢力による前記スプリングカバーに近づく方向の動きは阻止するので、前記基板を確実に係止するという効果を奏する。
【００１８】
上記構成より成る第３発明の温水洗浄便座は、前記第２発明において、前記係止手段が、前記基板の前記バネ手段の付勢力に抗して前記スプリングカバーから遠ざかる方向の動きに応じて前記基板の一端との当接により弾性的に変形し、前記基板の前記バネ手段の付勢力による前記スプリングカバーに近づく方向の動きに応じて前記基板の一端との当接により変形しないので、前記基板の装着が容易あるという効果を奏する。
【００１９】
上記構成より成る第４発明の温水洗浄便座は、前記第３発明において、前記係止手段が、フックであるので、前記基板のワンタッチ装着を可能にするという効果を奏する。
【００２０】
上記構成より成る第５発明の温水洗浄便座は、前記第４発明において、前記フックが、前記基板の下方に配置されたプレートに一体成形されているので、コストダウンを可能にするという効果を奏する。
【００２１】
上記構成より成る第６発明の温水洗浄便座は、前記第５発明において、前記基板の前記バネ手段の付勢力に抗して前記スプリングカバーから遠ざかる方向の動きに応じて前記基板の一端との当接により前記フックの前記傾斜係合部が、比較的小さな断面積の前記突設部の弾性的変形を誘因し、前記基板の前記バネ手段の付勢力による前記スプリングカバーに近づく方向の動きに応じて前記フックの前記水平係合部が、前記基板の一端との当接により変形しないので、前記基板の装着を容易にするとともに、前記基板の確実な固定を可能にするという効果を奏する。
【００２２】
上記構成より成る第７発明の温水洗浄便座は、前記第６発明において、前記基板が下方に押し込まれると、前記突設部の上端から横方向に突設された突起部の上面に形成された前記傾斜係合部に当接して横方向に前記突設部を揺動させ、前記基板の一端が、前記突起部の下面に形成された前記水平係合部に係合するので、前記基板が確実に固定されるという効果を奏する。
【００２３】
上記構成より成る第８発明の温水洗浄便座は、前記第５発明において、前記バネ手段を構成する前記スプリングが、前記基板と前記プレートとの間に介挿されているので、前記基板の弾性的固定を実現するという効果を奏する。
【００２４】
【発明の実施の形態】
以下本発明の実施の形態につき、図面を用いて説明する。
【００２５】
（実施形態）
本実施形態の温水洗浄便座は、図１ないし図８に示されるように温水洗浄便座において、制御基板１および複数の操作スイッチ２が配置される基板３の一部に当接し、前記基板３をスプリングカバー４側へ付勢するバネ手段５が配設され、前記バネ手段５によって前記スプリングカバー４側へ付勢された前記基板３の一端を係止する複数の係止手段６が、前記基板３の下部に位置するプレート７に一体的に形成されているものである。
【００２６】
前記プレート７は、洗浄ノズル７５およびポンプが配設されたプレート本体７０と一体的に形成され、便座側部に配設された温水タンク（図示せず）の上部に配設され、矩形凹部７１１が形成された前記係止手段６を構成する２個の引っ掛かり部７１が前端に一体成形によって突設されるとともに、楔状の横方向突起７２３が形成された前記係止手段６を構成するフック７２が後端両側に一体成形によって突設される。
【００２７】
前記プレート７の上面に上方に突設された４個の棒状突起７３に装着され、前記基板と前記プレートとの間に介挿される前記バネ手段５としての４個のスプリング５１、５２が配設され、前記基板３の前記スプリングカバー４側に付勢されるように構成されている。
【００２８】
前記バネ手段５としての４個のスプリングのうちに３個のスプリング５１が、前記基板３の前記制御基板１が配設される後端側に配設され、１個のスプリング５２が、前記基板３の複数の操作スイッチ２が配設される前端側に配設され、前記プレート７の棒状突起部７３に同軸的に介挿されている。
【００２９】
前記係止手段６が、前記基板３の一端を構成する突起部である２個のフランジ６１が挿入される凹部が形成された２個の引っ掛かり部７１によって構成されている。  前記係止手段６は、前記基板３の周辺端部に形成され、前記バネ手段５としての４個のスプリング５１、５２は、前記基板３の中央寄りにオフセットして配置されている。
【００３０】
前記係止手段６が、前記基板３の一端を構成する突起部である２個のフランジ６２の前記バネ手段５の付勢力に抗して前記スプリングカバー４から遠ざかる方向の動きは許容し、前記基板３の前記バネ手段５の付勢力による前記スプリングカバー４に近づく方向の動きは阻止するように構成されている。
【００３１】
前記係止手段６が、前記基板３の前記バネ手段５の付勢力に抗して前記スプリングカバー４から遠ざかる方向の動きに応じて前記基板３の一端である２個のフランジ６２との当接により弾性的に変形し、前記基板の前記バネ手段の付勢力による前記スプリングカバー４に近づく方向の動きに応じて前記基板３の一端である２個のフランジ６２との当接により変形しないように構成されている。
【００３２】
前記フック７２が、前記基板３の前記バネ手段５の付勢力に抗して前記スプリングカバー４から遠ざかる方向の動きに応じて前記基板３の一端である２個のフランジ６２との当接により変形を誘因する傾斜係合部７２１と、前記基板３の前記バネ手段５の付勢力による前記スプリングカバー４に近づく方向の動きに応じて前記基板３の一端である２個のフランジ６２との当接により変形しない水平係合部６２２と、前記プレート７の上面に突設され前記傾斜係合部７２１および前記水平係合部７２２に上端が連絡する弾性的変形を可能にする比較的小さな断面積の突設部７２０とから成るものである。
【００３３】
前記突設部７２０は、前後方向の幅が広く、前後方向に直交する幅方向の幅は狭い矩形断面形状に形成され、前記基板３の一端である２個のフランジ６２の先端と傾斜係合部７２１との当接による横方向の作用力によって時計方向および反時計方向の撓みによって、前記基板３の一端である２個のフランジ６２の上端が水平係合部７２２に面接触する位置に容易に挿入される。
【００３４】
前記傾斜係合部７２１が、前記突設部７２０の上端から横方向に突設された突起部７２３の上面に形成され、前記水平係合部７２２が、前記突起部７２３の下面に形成されているものである。
【００３５】
上記構成より成る本実施形態の温水洗浄便座は、前記複数の係止手段６が、前記制御基板１および複数の操作スイッチ２が配置される前記基板３の一部に当接し、前記基板をスプリングカバー４側へ付勢すべく配設された前記バネ手段５によって前記スプリングカバー４側へ付勢された前記基板３の一端６１、６２を係止するので、従来におけるネシを不要にしてコストダウンおよび作業工数の低減を可能にするという効果を奏する。
【００３６】
また本実施形態の温水洗浄便座は、前記係止手段６２、７２が、前記基板３の前記バネ手段５の付勢力に抗して前記スプリングカバー４から遠ざかる方向の動きは許容し、前記基板３の前記バネ手段５の付勢力による前記スプリングカバー４に近づく方向の動きは阻止するので、前記基板３を確実に係止するという効果を奏する。
【００３７】
さらに本実施形態の温水洗浄便座は、前記係止手段７２が、前記基板３の前記バネ手段５の付勢力に抗して前記スプリングカバー４から遠ざかる方向の動きに応じて前記基板３の一端６２との当接により弾性的に変形し、前記基板３の前記バネ手段５の付勢力による前記スプリングカバー４に近づく方向の動きに応じて前記基板３の一端との当接により変形しないので、前記基板３の装着が容易であるという効果を奏する。
【００３８】
また本実施形態の温水洗浄便座は、前記係止手段６が、前記フック７２によって構成されるものであるので、前記基板３のワンタッチ装着を可能にするという効果を奏する。
【００３９】
さらに本実施形態の温水洗浄便座は、前記フック７２が、前記基板３の下方に配置された前記プレート７に一体成形されているので、従来のように余分の部品が必要無いため、コストダウンを可能にするという効果を奏する。
【００４０】
また本実施形態の温水洗浄便座は、前記基板３の前記バネ手段５の付勢力に抗して前記スプリングカバー４から遠ざかる方向の動きに応じて前記基板３の一端６２との当接により前記フック７２の前記傾斜係合部７２１が、比較的小さな断面積の前記突設部７２０の弾性的変形を誘因し、前記基板３の前記バネ手段５の付勢力による前記スプリングカバー４に近づく方向の動きに応じて前記フック７２の前記水平係合部７２２が、前記基板３の一端６２との当接により変形しないので、前記基板３の装着を容易にするとともに、前記基板３の確実な固定を可能にするという効果を奏する。
【００４１】
さちに本実施形態の温水洗浄便座は、前記基板３が下方に押し込まれると、前記突設部７２０の上端から横方向に突設された突起部７２３の上面に形成された前記傾斜係合部７２１に当接して横方向に前記突設部７２０を揺動させ、前記基板３の一端６２が、前記突起部７２３の下面に形成された前記水平係合部７２２に係合するので、前記基板３が確実に固定されるという効果を奏する。
【００４２】
また本実施形態の温水洗浄便座は、前記バネ手段５を構成する前記スプリング５１、５２が、前記基板３と前記プレート７との間に介挿されているので、前記基板３の弾性的固定を実現するという効果を奏する。
【００４３】
上述の実施形態は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００４４】
上述の実施形態においては、一例として前記係止手段６としてのフランジ６１、６２、引っ掛かり部７１およびフック７２に対して、前記バネ手段５としての４個のスプリング５１、５２を、前記基板３の中央寄りにオフセットして配置する例に付いて説明したが、本発明としてはそれらに限定されるものでは無く、図１３に示されるように前記バネ手段５としてのスプリング５１、５２が同軸的に介挿される前記基板３の周辺端部に対応する位置に突設された前記プレート７の複数の棒状突起部７３の先端部に前記係止手段６としての引っ掛かり部７１およびフック７２を一体的に形成（一体成形）する（オフセット無し）実施形態を採用することが出来る。
【図面の簡単な説明】
【図１】本発明の実施形態の温水洗浄便座における基板が係止されている状態を示す縦断面図である。
【図２】本実施形態の温水洗浄便座における基板が押し込まれた状態を示す縦断面図である。
【図３】本実施形態の温水洗浄便座における基板が押し込まれた状態を示す図２におけるＡ−Ａ線に沿う横断面図である。
【図４】本実施形態におけるプレートを示す斜視図である。
【図５】本実施形態における基板を示す平面図である。
【図６】本実施形態における基板を示す斜視図である。
【図７】本実施形態におけるプレートに基板を装着された状態を示す斜視図である。
【図８】本実施形態における係止手段としてのフックの係止状態および挿入状態ならびに引っ掛かり部の係止状態を示す要部断面図である。
【図９】従来の第１の温水洗浄便座におけるバネの自由状態を示す要部断面図である。
【図１０】従来の第１の温水洗浄便座におけるバネが押し込まれ基板が装着された状態を示す要部断面図である。
【図１１】従来の第２の温水洗浄便座におけるバネが押し込まれ基板が装着されネシによって固定された状態を示す要部断面図である。
【図１２】従来の第１の温水洗浄便座における基板のネシによる固定状態よりさらにバネが押し込まれた状態を示す要部断面図である。
【図１３】係止手段とバネ手段とを同一位置（オフセット無し）に配置した本発明のその他の実施形態を示す要部断面図である。
【符号の説明】
１  制御基板
２  操作スイッチ
３  基板
４  スプリングカバー
５  バネ手段
６  係止手段
７  プレート
【図１】
2004232246.tif 000003
【図２】
2004232246.tif 000004
【図３】
2004232246.tif 000005
【図４】
2004232246.tif 000006
【図５】
2004232246.tif 000007
【図６】
2004232246.tif 000008
【図７】
2004232246.tif 000009
【図８】
2004232246.tif 000010
【図９】
2004232246.tif 000011
【図１０】
2004232246.tif 000012
【図１１】
2004232246.tif 000013
【図１２】
2004232246.tif 000014
【図１３】
2004232246.tif 000015